(57)【特許請求の範囲】
【請求項１】
床基盤（１０）の上に支持脚（１１）を介して設置する二重床（１２）と、部屋仕切部材（１３）との間に挿入し、両者の端面同士を絶縁する遮音部材（１）を備える遮音床構造であって、
前記遮音部材（１）は、
前記両者間の下方の部屋仕切部材（１３）に固定する受け材（２）と、
前記両者の上面端部を跨いで覆う可撓性の頭部（３Ａ）を有し、かつ、前記受け材（２）と着脱自在な見切り材（３）と、
からなることを特徴とする遮音床構造。
【請求項２】
前記受け材（２）が鋸歯状の嵌合部（２Ａ）を有し、前記見切り材（３）が前記嵌合部（２Ａ）に対する鋸歯状の挿入部（３Ｂ）を有することを特徴とする請求項１に記載の遮音床構造。
【請求項３】
前記受け材（２）の嵌合部（２Ａ）が、前記部屋仕切部材（１３）の端面と、当該端面に向き合う鋸歯とで形成されることを特徴とする請求項２に記載の遮音床構造。
【請求項４】
前記受け材（２）が円弧状の嵌合部（２Ａ）を有し、前記見切り材（３）が前記嵌合部（２Ａ）に対する円弧状の挿入部（３Ｂ）を有することを特徴とする請求項１に記載の遮音床構造。
【請求項５】
前記見切り材（３）の頭部（３Ａ）が軟質材料で形成され、前記挿入部（３Ｂ）が硬質材料で形成されていることを特徴とする請求項２〜請求項４のいずれか１項に記載の遮音床構造。
【発明の詳細な説明】
【０００１】
【発明の属する技術分野】
本発明は、集合住宅や体育館等に用いられる二重床において、部屋仕切部材との間に挿入して階下に対する高い床衝撃音遮断性能を発揮する端部遮音部材及びそれを用いた遮音床構造に関するものである。
【０００２】
【従来の技術】
従来から、コンクリートスラブ等の床基盤上に、高さ調節可能な支持脚で床材を所定の高さに支持する二重床が使用されている。即ち、図５に示すように、防振ゴム１１Ａを下端部に有する支持脚１１を床基盤１０の上に配置し、所定の大きさのベースパネル１２Ａを所定の高さに支持したものである。そして、ベースパネル１２Ａを床基盤１０の上に多数敷き並べ、捨板１２Ｂでベースパネル１２Ａ同士を接続し、捨板１２Ｂの上面を仕上材１２Ｃで覆って二重床１２を構成している。
【０００３】
このような二重床１２は、防振ゴム１１Ａによって階下に対する床衝撃音を遮断するのであるが、部屋の出入口部分のみは、荷重が加わった場合の床端部の沈み込みを防止するために際根太１４を使用している。際根太１４は通常木軸材料からなり、遮音性能上悪影響を及ぼすことが知られているが、第１に、出入口部分での微少な沈み込みから生じる二重床１２と敷居等の部屋仕切部材１３とのこすれ音（床鳴り）の防止、第２に、出入口部分における木材の長期的な伸縮から生じる二重床１２と部屋仕切部材１３との隙間の発生防止のために、一般的に使用され続けている。
【０００４】
【発明が解決しようとする課題】
しかしながら、階下に対する床衝撃音の遮断に対する要求は厳しくなる一方であることから、床衝撃音遮断性能の一層の向上が望まれている。そのため本発明者は既に、特願２０００−１０９４７７において際根太１４を廃止し、その代わりに二重床と部屋仕切部材の間に見切り材を挿入する技術を提案している。
【０００５】
即ち、見切り材を部屋仕切部材の端面に固定し、二重床の端面と絶縁することで遮音性能の向上を図ると共に、隙間が発生してもその部分を隠すのである。この見切り材の存在によって床衝撃音遮断性能は大幅に向上し、優れた遮音床構造が提供されることとなった。
【０００６】
但し、部屋仕切部材の端面に見切り材を固定してしまうと、仮に見切り材が何らかの原因で破損した場合、二重床と部屋仕切部材との隙間に挟まっている見切り材を交換することは難しい。
【０００７】
そこで本発明は、床端部の沈み込みによる床鳴りを防止し、床材の伸縮による隙間が生じてもそれを隠すことができ、高い床衝撃音遮断性能を発揮しつつ、メンテナンス性にも優れる二重床の端部遮音部材及びそれを用いた遮音床構造を提供することを目的とするものである。
【０００８】
【課題を解決するための手段】
本発明は以上の課題を解決するためになされたものであって、その第１の要旨は、床基盤の上に支持脚を介して設置する二重床と、部屋仕切部材との間に挿入し、両者の端面同士を絶縁する遮音部材であって、その両者間の下方に固定する受け材と、その両者の上面端部を跨いで覆う可撓性の頭部を有し、かつ、前記受け材と着脱自在な見切り材とからなる二重床の端部遮音部材に係るものである。
【０００９】
そして例えば、受け材が鋸歯状の嵌合部を有し、見切り材が前記嵌合部に対する鋸歯状の挿入部を有するものであるか、受け材が円弧状の嵌合部を有し、見切り材が前記嵌合部に対する円弧状の挿入部を有するものである。なお、受け材の嵌合部は、部屋仕切部材の端面と、当該端面に向き合う鋸歯とで形成することもできる。また、これらの場合、見切り材の頭部を軟質材料で形成し、その挿入部を硬質材料で形成することが好ましい。
【００１０】
次に、本発明の第２の要旨は、上記のいずれかの端部遮音部材を用いた遮音床構造であって、受け材が、二重床と部屋仕切部材の両者間の下方に固定され、見切り材の頭部がその両者の上面端部を跨いで覆い、かつ、前記受け材に見切り材が着脱自在に取り付けられている遮音床構造に係るものである。
【００１１】
【発明の実施の形態】
本発明の端部遮音部材は、二重床と部屋仕切部材との間に挿入して両者の端面同士を絶縁するものである。従って、それを用いた遮音床構造は、部屋の出入口部分で微少な沈み込みが生じた場合であっても二重床と部屋仕切部材とがこすれることがなく、床鳴りの発生が防止される。
【００１２】
また、端部遮音部材を構成する見切り材は、二重床と部屋仕切部材の上面端部を跨いで覆う可撓性の頭部を有している。従って、それを用いた遮音床構造は、人の歩行等によって二重床が沈んだ場合であっても、可撓性の頭部が追従して床の沈み込みが気にならない。また、二重床と部屋仕切部材の上面端部を跨いで覆うので、床全体の伸縮が生じて両者間に隙間が生じた場合であっても、その隙間を床上から確認することはできず、意匠上の問題を生じない。
【００１３】
ここで、見切り材の頭部の形状は特に限定されるものではないが、断面をＲ形状にしておくことが好ましい。二重床と部屋仕切部材との間に挿入した際にＲ形状の頭部が押し上げられた形で納まるため、床が沈み込んだ場合であっても、見切り材の頭部が床の上面から離れることがないからである。
【００１４】
ところで、見切り材は受け材と着脱自在となっている。即ち、受け材が二重床と部屋仕切部材との間の部分の下方に固定されるので、見切り材を抜き差しすれば簡単に見切り材を取り替えることができるのである。
【００１５】
ここで、受け材と見切り材とを着脱自在にするには、例えば、受け材に形成した凹部の内面に鋸歯を設けて嵌合部とする一方、見切り材の下端の外面に鋸歯を設けて挿入部とし、見切り材を受け材に差し込めばよい。すると鋸歯が噛み合って、差し込みは簡単であるが容易に抜けないようになる。但し、受け材を断面クランク状とし、鋸歯をその一面に設けて部屋仕切部材の端面との間で凹部を形成し、同じく見切り材の下端の一面に設けた鋸歯と噛み合うようにすることもできる。
【００１６】
また、受け材の嵌合部の凹部内面を円弧状にしておき、見切り材の挿入部を膨らみを持った円弧状に形成して嵌め合わせても同様に、差し込みが簡単で容易に抜けないようにすることができる。
【００１７】
なお、上記の通り、見切り材の頭部は可撓性でなければならないが、見切り材全体を可撓性の材料で形成すると、受け材の嵌合部に差し込みにくくなってしまう。そこで、見切り材の頭部は軟質材料で形成し、挿入部は硬質材料で形成することが好ましい。
【００１８】
【実施例】
以下、本発明の好ましい実施の形態の具体例を図面に基づいて説明する。図１及び図２は本発明の端部遮音部材１を用いた遮音床構造の一例を示す断面図である。図１に示す通り、床基盤１０の上には支持脚１１を介して二重床１２が設置されている。一方、部屋仕切部材１３の下方には断面がクランク状の受け材２が固定されている。
【００１９】
即ち、受け材２はクランク状の上部が嵌合部２Ａとなっており、下部が固定部２Ｂとなっている。そして、固定部２Ｂと部屋仕切部材１３とが釘１５で固定されている。また、嵌合部２Ａの内面には鋸歯が形成されており、部屋仕切部材１３の端面との間に、鋸歯状で硬質材料から形成された見切り材３の挿入部３Ｂが差し込めるようになっている。なお、二重床１２は、ベースパネル１２Ａ、捨板１２Ｂ及び仕上材１２Ｃとで構成されており、仕上材１２Ｃに対してベースパネル１２Ａと捨板１２Ｂが引っ込んでいることで、受け材２の嵌合部２Ａの収納空間が確保されている。
【００２０】
一方、見切り材３の頭部３Ａは軟質材料で形成され、断面がＲ形状になっており、しかも、二重床１２側に長く折れ曲がっている。そして、見切り材３の挿入部３Ｂを受け材２の嵌合部２Ａに差し込むと、図２に示すように、頭部３Ａが二重床１２と部屋仕切材１３の上面端部を跨いで覆い、特に、二重床１２側の先端は仕上材１２Ｃの上面と接触して押し上げられた形で納まる。
【００２１】
従って、二重床１２が沈んだ場合であっても見切り材３の頭部３Ａが追従して床の沈み込みが気にならず、二重床１２と部屋仕切材１３との間に隙間が生じてもその隙間を床上から確認することはできない。しかも、受け材２から見切り材３を簡単に抜き差しできるので、仮に軟質部材からなる頭部３Ａが破損した場合であっても交換が容易でメンテナンス性が高い。
【００２２】
図３は、本発明の端部遮音部材１の他の例を示す断面図である。図３に示す例では、受け材２の嵌合部２Ａが凹部形状で、その内面の両側が鋸歯状になっている。そして、見切り材３の挿入部３Ｂもその外面の両側が鋸歯状になっているので、受け材２の嵌合部２Ａと着脱自在である。このような端部遮音部材１を用いた遮音床構造であっても、図１及び図２のものと同様の効果が得られる。
【００２３】
図４は、本発明の端部遮音部材１の更に他の例を示す断面図である。図４に示す例では、受け材２の嵌合部２Ａの凹部内面が円弧状になっている。そして、見切り材３の挿入部３Ｂが膨らみを持った円弧状になっているので、受け材２の嵌合部２Ａと着脱自在である。このような端部遮音部材１を用いた遮音床構造であっても、図１及び図２のものと同様の効果が得られる。
【００２４】
【発明の効果】
本発明の端部遮音部材及びそれを用いた遮音床構造によれば、見切り材の頭部が二重床と部屋仕切部材の上面端部を跨いで覆い、かつ、見切り材が受け材と着脱自在になっているので、床端部の沈み込みによる床鳴りを防止でき、床材の伸縮による隙間が生じてもそれを隠すことができ、高い床衝撃音遮断性能を発揮しつつ、メンテナンス性にも優れるものとなる。
【図面の簡単な説明】
【図１】図１は、本発明の端部遮音部材を用いた遮音床構造の例を示す断面図であり、受け材に見切り材を差し込む前の状態を示す図である。
【図２】図２は、本発明の端部遮音部材を用いた遮音床構造の例を示す断面図であり、受け材に見切り材を差し込んだ後の状態を示す図である。
【図３】図３は、本発明の端部遮音部材の他の例を示す断面図である。
【図４】図４は、本発明の端部遮音部材の更に他の例を示す断面図である。
【図５】図５は、従来の二重床構造を示す断面図である。
【符号の説明】
１‥遮音部材
２‥受け材
２Ａ‥嵌合部
２Ｂ‥固定部
３‥見切り材
３Ａ‥頭部
３Ｂ‥挿入部
１０‥床基盤
１１‥支持脚
１２‥二重床
１２Ａ‥ベースパネル
１２Ｂ‥捨板
１２Ｃ‥仕上材
１３‥部屋仕切部材
１４‥際根太
１５‥釘
【図１】
0004554843.tif 000002
【図２】
0004554843.tif 000003
【図３】
0004554843.tif 000004
【図４】
0004554843.tif 000005
【図５】
0004554843.tif 000006